(57)【要約】【課題】簡便な操作により固形薬剤溶解時に薬剤濃度の変動が少ない安定した濃度の薬剤水溶液を供給することができる固形薬剤溶解供給装置、及び固形薬剤溶解方法を提供する。【解決手段】固形薬剤を収容する薬剤槽と、該薬剤槽内に固形薬剤を溶解するための溶解用水を供給する溶解用水流入口及び固形薬剤を溶解した薬剤水溶液を流出させる薬剤水溶液流出口とを有する固形薬剤溶解供給装置において、該薬剤槽の溶解用水流入口及び該薬剤水溶液流出口がいずれも該薬剤槽の底部近辺に設けられ、該薬剤水溶液流出口と接続する配管にユニオンが接続され、該ユニオンの他端と接続されたユニオン接続配管の最高部の薬剤槽底部からの垂直高さを調節することにより、該薬剤槽内の溶解用水の薬剤槽の底部からの溶解液面高さが調節可能な固形薬剤溶解供給装置、及びその装置を用いて、薬剤水溶液の薬剤濃度を制御する固形薬剤溶解方法の構成とした。【選択図】図１
2019107600.tif 000002
【特許請求の範囲】
【請求項１】
固形薬剤を収容する薬剤槽と、該薬剤槽内に固形薬剤を溶解するための溶解用水を供給する溶解用水流入口、および固形薬剤を溶解した薬剤水溶液を流出させる薬剤水溶液流出口とを有する固形薬剤溶解供給装置において、
該薬剤槽の溶解用水流入口及び該薬剤水溶液流出口がいずれも該薬剤槽の底部近辺に設けられ、
該薬剤水溶液流出口と接続する配管にユニオンが接続され、
該ユニオンの他端と接続されたユニオン接続配管の最高部の薬剤槽底部からの垂直高さを調節することにより、
該薬剤槽内の溶解用水の薬剤槽の底部からの溶解液面高さが調節可能となっていることを特徴とする固形薬剤溶解供給装置。
【請求項２】
前記薬剤槽の溶解用水流入口から上流に溶解用水流量調節弁が設けられ、該溶解用水流量調節弁により流入する溶解用水量が調節可能となっていることを特徴とする請求項１に記載の固形薬剤溶解供給装置。
【請求項３】
前記薬剤槽の薬剤水溶液流出口から下流に薬剤水溶液流量調節弁が設けられ、該薬剤水溶液流量調節弁により流出する薬剤水溶液量が調節可能となっていることを特徴とする請求項１または請求項２に記載の固形薬剤溶解供給装置。
【請求項４】
請求項１から請求項３のいずれか一項に記載の固形薬剤溶解供給装置を用いて、薬剤水溶液の薬剤濃度を制御することを特徴とする固形薬剤溶解方法。
【請求項５】
前記薬剤槽の溶解用水流入口から上流に設けられた溶解用水流量調節弁、および／または薬剤槽の薬剤水溶液流出口から下流に設けられた薬剤水溶液流量調節弁、および前記ユニオン接続配管の最高部の薬剤槽底部からの垂直高さ調節により、
前記薬剤槽内における固形薬剤を浸漬する溶解用水の溶解液面高さを予め定められた溶解液面高さになるように調節することを特徴とする請求項４に記載の固形薬剤溶解方法。
【請求項６】
前記薬剤槽に供給される溶解用水の測定温度により、固形薬剤の溶解水温度と溶解度との関係から予め定められた前記ユニオン接続配管の最高部の薬剤槽底部からの垂直高さを修正することを特徴とする請求項４または請求項５に記載の固形薬剤溶解方法。
【請求項７】
前記薬剤槽への溶解用水の供給を停止した後、溶解用水の供給を再開するまでに薬剤槽の薬剤水溶液を全て流出させることを特徴とする請求項４から請求項６のいずれか一項に記載の固形薬剤溶解方法。
【請求項８】
前記薬剤槽の薬剤水溶液を全て流出させる方法が、サイフォン効果が得られる形状のユニオン接続配管を利用する手段か、
または薬剤水溶液の供給停止時にユニオン接続配管の最高部の薬剤槽の底部からの垂直高さを零以下まで低くする手段かの
少なくとも何れかの手段であることを特徴とする請求項８に記載の固形薬剤溶解方法。
【請求項９】
前記固形薬剤が塩素系薬剤であることを特徴とする請求項４から請求項８のいずれか一項に記載の固形薬剤溶解方法。
【発明の詳細な説明】
【技術分野】
【０００１】
本発明は、固形薬剤を水に溶解させて得られた薬剤水溶液を供給するための固形薬剤溶解供給装置、およびその溶解方法に関するものであり、より詳しくは、簡便な操作により固形薬剤溶解時に薬剤濃度の変動が少ない安定した濃度の薬剤水溶液を供給するのに好適な固形薬剤溶解供給装置、およびその溶解方法に関する。
【背景技術】
【０００２】
従来、冷却水循環水系、紙パルププロセス水系、スクラバー水系等の産業用水や、生活排水、産業排水、プール循環水、浴場循環水などでは、一般に、水処理薬剤が用いられている（例えば特許文献１）。
このような水処理薬剤は、各種水系中のスケール、スライム、又は金属腐食障害の発生を防止するために用いられている。そのような水処理薬剤には、液体及び固形のものがあるが、液体薬剤には漏洩の問題があり、防止対策を施す必要があり、他方固形薬剤は溶解速度が不均一で濃度管理が難しく、その取り扱いが煩雑であった。
【０００３】
従来、固形薬剤を処理水中に溶解添加する方法として、循環水の一部を分岐し、これを溶解用水として固形薬剤を溶解し、溶解液を入れた溶解液槽を、注入する循環水系の主配管よりも高い位置に設置してヘッド圧で注入する方法（例えば、特許文献２）や、開放常圧型の溶解装置において、循環水の一部を分岐した溶解用水をスプレーノズルで固形塩素剤に噴霧して溶解を行い、溶解液をポンプを利用して循環水の主配管へ注入する方法（例えば、特許文献３）がある。さらに、特許文献４には、固形薬剤を収容するための溶解容器を冷却塔の外部に配置し、冷却塔内で集めた散布水を固形薬剤に接触させ、生成した薬剤溶液を冷却塔に供給する構成が開示されている。また、特許文献５には、循環水の薬剤濃度を監視し、薬剤濃度に応じて、固形薬剤を溶解させる溶解液の供給状態を制御する構成が開示されている。
しかしながら、上記従来の薬剤溶解供給装置では、槽内の固形薬剤の量が多いときには、濃度の高い水溶液が供給され、固形薬剤量が減少してくると、次第に水溶液の薬剤濃度が低下するという問題が発生する。
【０００４】
この問題を解決する方法として、特許文献６には、薬剤濃度の変動が少ない薬剤水溶液を供給することができる薬剤溶解供給装置として、固形薬剤を収容する槽と、槽内に水を供給するポンプとを有し、水の流入口及び薬剤水溶液の流出口をいずれも槽の下部に設けた薬剤溶解供給装置が開示されている。しかし、薬剤水溶液濃度の変動を小さくするには複雑な制御が必要であった。
また、特許文献７には、水溶性固形薬剤を充填する薬室部、薬剤の溶解液槽、処理水の分岐配管等を有する滅菌装置において、溶解液槽の溶解液面を制御するフロート式定水位弁により固形薬剤の溶解量の制御が可能であり、薬剤溶解液を処理水分岐配管へ注入する際にエゼクターを設けることにより動力と電気回路を必要としない固形薬剤溶解滅菌装置が開示されている。
【先行技術文献】
【特許文献】
【０００５】
【特許文献１】特開２００９−８４１６３号公報
【特許文献２】特公昭４５−２９７８８号公報
【特許文献３】特公平４−４０３９号公報
【特許文献４】特開２０１３−２１０１３４号公報
【特許文献５】特開２００３−１５４２４１号公報
【特許文献６】特開２０１２−２１０５８６号公報
【特許文献７】特開２０１３−１０７０５７号公報
【発明の概要】
【発明が解決しようとする課題】
【０００６】
上記のフロート式定水位弁による溶解液面の調整で固形薬剤溶解濃度の振れを改良する薬剤溶解供給装置は、固形薬剤の充填量が溶解により減少するためにフロートによる溶解槽の溶解液面の制御が複雑になり、薬剤濃度を一定にする手段も複雑になる。そのため、簡単に行える溶解槽の溶解液面の制御が要望されていた。
【０００７】
また、上記従来の薬剤溶解供給装置において、固形薬剤が塩素系薬剤等の水との反応でガスが発生する薬剤である場合、槽内上部に水を供給すると、すべての固形薬剤が水に濡れるので、通水停止後、固形薬剤と残留水分との反応生成ガスが発生することになり、特に塩素系薬剤では塩素成分濃度の高いガスが槽内に溜り、問題となっていた。
【０００８】
本発明は、上記従来の問題点を解決し、簡便な操作により固形薬剤溶解時に薬剤濃度の変動が少ない安定した濃度の薬剤水溶液を供給することができる固形薬剤溶解供給装置、及び固形薬剤溶解方法を提供することを目的とする。
また、本発明は、固形薬剤が塩素系薬剤である場合、薬剤溶解停止時における発生ガス量を微少にすることができる固形薬剤溶解方法を提供することを目的とする。
【課題を解決するための手段】
【０００９】
上記の課題を解決するために、
（１）
第１の発明は、固形薬剤を収容する薬剤槽と、該薬剤槽内に固形薬剤を溶解するための溶解用水を供給する溶解用水流入口、および固形薬剤を溶解した薬剤水溶液を流出させる薬剤水溶液流出口とを有する固形薬剤溶解供給装置において、
該薬剤槽の溶解用水流入口及び該薬剤水溶液流出口がいずれも該薬剤槽の底部近辺に設けられ、
該薬剤水溶液流出口と接続する配管にユニオンが接続され、
該ユニオンの他端と接続されたユニオン接続配管の最高部の薬剤槽底部からの垂直高さを調節することにより、
該薬剤槽内の溶解用水の薬剤槽の底部からの溶解液面高さが調節可能となっている固形薬剤溶解供給装置である。
（２）
第２の発明は、第１の発明において前記薬剤槽の溶解用水流入口から上流に溶解用水流量調節弁が設けられ、該溶解用水流量調節弁により流入する溶解用水量が調節可能となっている固形薬剤溶解供給装置である。
（３）
第３の発明は、第１または第２の発明において、前記薬剤槽の薬剤水溶液流出口から下流に薬剤水溶液流量調節弁が設けられ、該薬剤水溶液流量調節弁により流出する薬剤水溶液量が調節可能となっている固形薬剤溶解供給装置である。
（４）
第４の発明は、第１から第３のいずれか一つの発明に記載の固形薬剤溶解供給装置を用いて薬剤水溶液の薬剤濃度を制御する固形薬剤溶解方法である。
（５）
第５の発明は、第４の発明において、前記薬剤槽の溶解用水流入口から上流に設けられた溶解用水流量調節弁、および／または薬剤槽の薬剤水溶液流出口から下流に設けられた薬剤水溶液流量調節弁、および前記ユニオン接続配管の最高部の薬剤槽底部からの垂直高さ調節により、
前記薬剤槽内における固形薬剤を浸漬する溶解用水の溶解液面高さを予め定められた溶解液面高さになるように調節する固形薬剤溶解方法である。
（６）
第６の発明は、第４または第５の発明において、前記薬剤槽に供給される溶解用水の測定温度により、固形薬剤の溶解水温度と溶解度との関係から予め定められた前記ユニオン接続配管の最高部の薬剤槽底部からの垂直高さを修正する固形薬剤溶解方法である。
（７）
第７の発明は、第４から第６のいずれかの発明において、前記薬剤槽への溶解用水の供給を停止した後、溶解用水の供給を再開するまでに薬剤槽の薬剤水溶液を全て流出させる固形薬剤溶解方法である。
（８）
第８の発明は、第７発明において、前記薬剤槽の薬剤水溶液を全て流出させる方法が、サイフォン効果が得られる形状のユニオン接続配管を利用する手段か、
または薬剤水溶液の供給停止時にユニオン接続配管の最高部の薬剤槽の底部からの垂直高さを零以下まで低くする手段かの
少なくとも何れかの手段である固形薬剤溶解方法である。
（９）
第９の発明は、第４から第８のいずれか一つの発明において、前記固形薬剤が塩素系薬剤である固形薬剤溶解方法である。
【発明の効果】
【００１０】
本発明の固形薬剤溶解供給装置により、薬剤槽中において溶解用水に浸漬する固形薬剤量を簡便な方法で制御することにより、薬剤濃度の変動が少ないほぼ一定の安定した濃度の薬剤水溶液の供給が可能となる。
【００１１】
また、本発明の固形薬剤溶解供給装置では、基本的には薬剤槽の固形薬剤の一定割合、好ましい態様では薬剤槽の２〜６０％高さの固形薬剤のみが水で濡れることになるので、特に固形薬剤が塩素系薬剤の場合、薬剤槽のすべての固形薬剤が濡れている溶解装置と比較して通水停止後に発生する塩素系ガスの量が少ない。
さらに、固形薬剤の溶解用水の供給が停止した場合にユニオン接続配管の最高部の薬剤槽の底部からの垂直高さを零以下にすることで容易に短時間で薬剤槽中の溶解水がなくなり、固形薬剤が乾燥されるので塩素系ガスの発生量がさらに減少する。
【図面の簡単な説明】
【００１２】
【図１】本発明の薬剤溶解供給装置を組み込んだ冷却塔設備の一例の概略図である。
【図２】本発明のサイフォン効果を利用する実施の形態に係る薬剤溶解供給装置の一例の（ａ）正面と、（ｂ）左側面の部分透視図である（ユニオン接続配管が垂直方向に立てられた場合）。
【図３】本発明のサイフォン効果を利用する実施の形態に係る薬剤溶解供給装置の一例の（ａ）正面と（ｂ）左側面の部分透視図である（ユニオン接続配管が垂直方向から４５度傾けられた場合）。
【図４】本発明のサイフォン効果を利用しない実施の形態に係る薬剤溶解供給装置の一例の（ａ）正面と（ｂ）左側面の部分透視図である（ユニオン接続配管が垂直方向に立てられた場合）。
【図５】本発明に使用されるユニオンの一例の詳細図である。（ａ）はユニオン付近の拡大図、（ｂ）はユニオン部の分解断面図である。
【図６】比較例の一般的な薬剤溶解供給装置の一例の（ａ）正面と、（ｂ）左側面の部分透視図である。
【図７】本発明のサイフォン効果を利用する実施の形態に係る薬剤溶解供給装置の一例の正面図である（薬剤水溶液流量調節弁のみが備えられた場合）。
【発明を実施するための形態】
【００１３】
以下、図２、図３を参照して本発明の実施の形態について説明する。尚、図６には比較の一般的な薬剤溶解供給装置を示す。
【００１４】
図２および図３において、薬剤槽１には固形薬剤２が収容されており、薬剤槽１の上部には固形薬剤２の薬剤補充口６が設けられ、下部側面に溶解用水流入口７を有し、溶解用水流入口７と対抗する下部側面位置に薬剤水溶液流出口８を有している。好ましくは、溶解用水流入口７及び薬剤水溶液流出口８は、薬剤槽１の底部と同レベルに設けられ、溶解用水流入口７及び薬剤水溶液流出口８には固形薬剤２の流出防止用のメッシュが設けられている。
溶解用水流入口７には、ポンプ３等からの水が溶解用水流量調節弁５ａを介して導入可能とされており、流入する溶解用水が直接、固形薬剤２に当たると溶解量が変わるため、好ましくは溶解用水流入口７に遮蔽板を設けて流入水が固形薬剤２に直接当らないようにする。
【００１５】
図２および図３において、薬剤水溶液流出口８には直接、または配管を介してユニオン４が接続されており、ユニオン４の他端と接続する図示したようなＵ字型のユニオン接続配管９の最高部の薬剤槽１の底面からの垂直高さが調節可能となっている。
ユニオン接続配管９の最高部の高さ調節により固形薬剤２が浸漬される溶解用水の溶解液面高さを調節することにより、溶解された薬剤の濃度制御が可能となる。
ユニオン接続配管９の形状はＵ字型以外にＬ字型やＪ字型等であってもよく、ユニオン４が接続される薬剤槽１の薬剤水溶液流出口８よりも高い部分をユニオン接続配管９が有する形状であれば特に限定されない。
【００１６】
図２または図３のようにＵ字型等のユニオン接続配管９を用いてサイフォン効果により薬剤槽１内の薬剤水溶液を流出させる場合、薬剤補充口６からの空気の吸い込みにより流出が停止するまでユニオン接続配管９の最高部の高さまで蓄えられた薬剤水溶液をサイフォン効果により薬剤槽１から連続的に流出させ、流出が停止して薬剤槽１の薬剤水溶液が全て流出した後、薬剤槽１に溶解用水がユニオン接続配管９の最高部の高さまで蓄えられるというサイクルを繰り返すことにより行われる。
尚、図２はユニオン４が垂直方向に立てられた場合で、図３は垂直方向から４５度傾けられた場合であり、ユニオン４の傾きは薬剤流出速度や溶解された薬剤の必要濃度等により変更される。
【００１７】
または、図４のようにサイフォン効果を用いない場合、ユニオン接続配管９の最高部に逆止弁１０を設けて配管内に外部空気の供給が可能とすることにより、薬剤槽１内のユニオン接続配管９の最高部の高さまで蓄えられた薬剤水溶液を溶解用水の水圧により薬剤槽１から連続流出させることにより行われるが、溶解用水の停止により薬剤水溶液の供給を停止するときにユニオン接続配管９の最高部の高さを薬剤槽１の底部以下に低くすることにより薬剤槽１の薬剤水溶液を全て流出させることができるので好ましい。
【００１８】
このように構成された固形薬剤溶解供給装置Ａにおいて、薬剤水溶液を供給するときには、薬剤槽１内に粒状の固形薬剤２を収容しておき、溶解用の水を溶解用水流入口７から薬剤槽１に通水する。薬剤槽１内に導入された溶解用水は薬剤槽１内の下部の固形薬剤２と接触し、薬剤成分が溶け込んだ薬剤水溶液となって薬剤水溶液流出口８から流出する。なお、薬剤水溶液流出口８から流出する薬剤水溶液は、ユニオン接続配管９を通り、ユニオン接続配管９に連設する薬注管１６ｄに送られ、冷却水１３に注入される。
予め、ユニオン接続配管９の最高部の垂直高さと溶解用水に浸漬される薬剤量との関係、および浸漬される薬剤量と溶解された薬剤水溶液の濃度との関係を測定しておくことにより、ユニオン接続配管９の最高部の高さ調節により薬剤濃度を一定に制御することが可能となる。
【００１９】
特に薬剤槽１に供給される溶解用水の温度と固形薬剤２の溶解度との関係から、溶解用水の温度変化に応じたユニオン接続配管９の最高部の高さ調節による溶解濃度制御方法を定めておき、測定された溶解用水の温度変化がある水準、例えば前測定温度プラス２℃、またはマイナス２℃に達したらユニオン接続配管９の最高部の垂直高さを調節して浸漬される薬剤量を変化させることにより薬剤濃度の精度を向上させることが可能となるので好ましい。
【００２０】
このように、本発明の薬剤溶解供給装置Ａでは、好ましい例として、薬剤槽１の溶解用水流入側に溶解用水流量調節弁５ａ、及び薬剤水溶液流量調節弁５ｂが設けられている。一方で、図７のように薬剤水溶液流量調節弁５ｂのみが設けられている場合や、溶解用水流量調節弁５ａのみが設けられている場合、および両調節弁が設けられていない場合も本発明に含まれる。
溶解用水流量調節弁５ａにより供給される溶解用水量を一定としておくこと、好ましくは薬剤水溶液流量調節弁５ｂにより流出する溶解水溶液量を一定にしておくことによりユニオン接続配管９の最高部の高さ調節によって薬剤槽内の溶解用水に浸漬される固形薬剤２の量を精度よく制御することが可能となり、ほぼ一定濃度の薬剤水溶液がユニオン接続配管９から供給される。特に供給される溶解用水の温度変化がある水準以上になった場合にユニオン接続配管９の最高部の垂直高さをさらに調節することにより更に濃度制御の精度が向上する。
【００２１】
なお、薬剤槽１の底部からのユニオン接続配管９の最高部の垂直高さは、薬剤槽１の高さ、実用上は薬剤槽１に入れられている固形薬剤２の底部からの高さがあれば充分であり、目標とする薬剤溶解濃度、薬剤槽１の高さや容積、固形薬剤２の水溶性の程度、固形薬剤２の粒径や形状等により決定されるが、最高部の垂直高さの２〜６０％の範囲内で溶解用水と接触する固形薬剤量の調整が可能とすることが好ましい。一般的には薬剤槽１の高さの２〜６０％、好ましくは２〜３０％、より好ましくは３〜１５％の固形薬剤２が溶解用水と接触するように調節することが固形薬剤２の補給頻度の低減と薬剤溶解濃度の安定性から好ましい。
【００２２】
本発明のユニオンの一例として示す図５では、ユニオン４の片方の管端にユニオンねじ２０、他方の管端にユニオンつば２１が取り付けられているが、両方の管端にユニオンつば２１が取り付けられる場合や、両方の管端にユニオンねじ２０が取り付けられる場合もあり、いずれにおいても管端に取り付けられた両者にまたがってユニオンナット１９をはめて接続することで一体として使用する。
配管との接続や分離の際、ユニオンナット１９だけを回せばよく、配管を回す必要がない。ユニオン４における薬剤槽の薬剤水溶液流出口８側と接続する管端とは反対側の管端と接続するユニオン接続配管９の最高部高さを調節することにより薬剤槽の溶解用水の溶解液面の高さが調節可能となる。
【００２３】
本発明の薬剤溶解供給装置Ａでは、ユニオン接続配管９の最高部の垂直高さを薬剤槽１に充填されている固形薬剤２の高さよりも低く、好ましくは薬剤槽１の高さの２〜６０％の範囲内で制御することより薬剤槽１の中下部の固形薬剤２のみが溶解用水で濡れることになるので、薬剤槽１のすべての固形薬剤２が濡れる場合と比較して未溶解の固形薬剤２が容器下部に沈着して溶解しにくくなったり、配管類の閉塞が起きにくくなったり、固形薬剤２が塩素系薬剤の場合には溶解用水の通水停止後の塩素系ガス発生量が少なくなる。
特に溶解用水の通水停止後にサイフォン効果を利用してほぼ全ての薬剤水溶液を流出させる場合や、ユニオン接続配管９の最上部の逆止弁１０から外部空気を導入してサイフォン効果を利用せずに溶解用水の水圧により薬剤水溶液を流出させ、流出の停止後にユニオン接続配管９の最高部の垂直高さを薬剤槽１の底部以下とすることで短時間で薬剤槽１の内部にあるほぼすべての薬剤水溶液を流出させる場合には、薬剤槽１内の水切れが良く、固形薬剤２が乾き易くなるので未溶解固形薬剤２の沈着や配管類の閉塞、塩素ガス発生が抑えられる。
【００２４】
また、薬剤槽１上部の蓋や、薬剤槽の外周側面壁のすべて、または一部を透明とすることにより薬剤槽内の固形薬剤２の充填状況が目視可能となるために好ましい。
【００２５】
本発明では、図２や図５のように薬剤槽１の溶解用水流入口７の上流の配管、または薬剤水溶液流出口８から下流の配管の少なくともいずれかに流量調節弁が設けられ、流入する溶解用水量や流出する薬剤水溶液量を調節することにより、薬剤槽１における基準となる溶解用水の溶解液面高さを安定化させることでユニオン４による溶解用水の溶解液面高さの最適化調整が容易になり、薬剤水溶液の薬剤濃度調節の精度が向上することから好ましい。
【００２６】
薬剤槽１には、薬剤として殺菌剤、スライム防止剤等が固形の錠剤の形態で上下方向に積み重ねたものが収容される。なお、固形薬剤２としてスケール防止剤や防食剤を使用することもできる。各種薬剤化合物は、各々単独で錠剤に成型してもよいが、複数種の薬剤化合物を一錠剤に成形したほうが薬剤溶解後の水溶液中の各種薬剤化合物の比率が安定するので好ましい。
【００２７】
本発明で使用される固形薬剤の例としては以下が挙げられる。
殺菌剤やスライム防止剤の例は、次亜塩素酸系化合物として次亜塩素酸ナトリウム、次亜塩素酸カルシウム等、クロルイソシアヌル酸化合物としてトリクロロイソシアヌル酸、ジクロロイソシアヌル酸ナトリウム等、ハロゲン化ヒダントイン誘導体として１−ブロモ−３−クロロ−５，５−ジメチルヒダントイン等、イソチアゾリン系化合物として５−クロロ−２−メチル−４−イソチアゾリン−３−オン、２−メチル−４−イソチアゾリン−３−オン等、トリアジン系化合物として２−（ｔ−ブチルアミノ）−４−クロロ−６−エチルアミノ−１，３，５−トリアジン等が挙げられ、スケール防止剤の例は、ポリアクリル酸、ポリアクリル酸塩、ポリマレイン酸、ポリマレイン酸塩等が挙げられる。
防食剤の例は、亜鉛塩、モリブデン塩、亜硝酸塩、１，２，３−ベンゾトリアゾール、没食子酸プロピル等が挙げられる。
【００２８】
なお、本発明において固形薬剤の溶解に用いる溶解用水の種類は特に限定されるものではなく、冷却塔における循環水や補給水、工業用水、水道水、井戸水、地下水等の水を使用することができる。
冷却塔における循環水は補給水に比べてカルシウム化合物やシリカ等のスケール成分の濃度が高いので固形薬剤の表面がスケールに覆われて、固形薬剤の溶解を妨げる可能性があり、安定した固形薬剤の溶解や供給ができないおそれがあるのでスケール成分等の溶解分の少ない補給水が好ましい。
また、これらの水や工業排水等をイオン交換樹脂等で処理し、軟水や脱塩水とした処理水を使用することもできる。特に、使用する溶解用水の温度と固形薬剤溶解度との関係を把握しておき、溶解時における溶解用水の測定温度によってユニオン接続配管９の最高部の薬剤槽の底部からの垂直高さ、即ち薬剤槽の水面高さを微調節することにより安定した薬剤濃度の水溶液が得られるので好ましい。
【実施例】
【００２９】
実施例１
図１に示した、本発明の固形薬剤供給装置を組み込んだ冷却塔設備１１（冷凍能力５００ＲＴ、保有水量１０ｍ３）は、薬剤槽１の薬剤溶解用水として補給水が供給され、空調用として稼働させた。実施例として図２、および図３に示すユニオン４の実施形態を有する固形薬剤溶解供給装置Ａであって薬剤槽１の溶解用水流入口から上流に溶解用水流量調節弁５ａと薬剤水溶液流出口から下流に薬剤水溶液流量調節弁５ｂが設けられている装置を用い、比較例として図５に示すユニオン構造を有しない固形薬剤溶解供給装置を用いた。
【００３０】
このとき、固形薬剤２として冷却水用清浄剤（次亜塩素酸カルシウム）を用い、薬剤槽１に１００％充填し、ユニオン４と接続されたユニオン接続配管９の最高部の高さを変化させて、薬剤溶解用水の温度（標準２０℃）における固形薬剤溶解供給装置Ａの薬剤水溶液流出口８からの薬剤水溶液の遊離残留塩素濃度が５０ｍｇ／Ｌ（リットル）となるユニオン接続配管９の最高部の高さ（＝薬剤槽１の溶解用水の水面高さ）を決定し、薬剤槽１の薬剤量の補充と薬剤溶解用水の測定温度と標準温度との差異による溶解用水の水面高さの調整を定期的に（１回／日）行った。また、この薬剤水溶液により冷却水１３の遊離残留塩素濃度が０．３ｍｇ／Ｌ（リットル）となるように冷却塔１２の薬注制御を１ヶ月連続で行い、定期的（１日一回）に薬剤槽１からの薬剤溶液を薬注管１６ｄから採取するとともに、冷却水往配管１４ｃから冷却水を採取して、これらの遊離残留塩素濃度を測定した。
【００３１】
実施例２
実施例１と同様に、固形薬剤２として冷却水用清浄剤（次亜塩素酸カルシウム）を用い、薬剤槽１に１００％充填し、ユニオン４と接続されたユニオン接続配管９の最高部の高さを変化させて、測定された薬剤溶解用水の温度における固形薬剤溶解供給装置Ａの薬剤水溶液流出口８からの薬剤水溶液の遊離残留塩素濃度が５０ｍｇ／Ｌ（リットル）となるユニオン接続配管９の最高部の高さ（＝薬剤槽１の溶解用水の水面高さ）を決定した。
その後、冷却水１３の遊離残留塩素濃度が０．３ｍｇ／Ｌとなるように冷却塔１２への薬剤水溶液供給を行うに当たり、薬剤槽１への溶解用水供給を停止した後、ユニオン接続配管９を通して遊離残留塩素濃度が５０ｍｇ／Ｌとなった薬剤水溶液をサイフォン効果により全て流出させた。
６時間後に溶解用水の供給を再開し、上記と同様に薬剤溶解、冷却塔１２への薬剤水溶液供給を行った。薬注管１６ｄから流出時の薬剤水溶液、および冷却水往配管１４ｃから冷却水を定期的に（１日１回）に採取して、遊離残留濃度を測定した。
【００３２】
比較例１
実施例１、２における冷却塔設備で、図２および図３に示すユニオンの実施形態を有する固形薬剤溶解供給装置Ａに代えて図６に示す固形薬剤溶解供給装置を用いて稼動させた。
固形薬剤溶解供給装置からの遊離残留塩素濃度が５０ｍｇ／Ｌとなるように溶解用水流量調節弁５ａにより稼働開始時に溶解用水の供給量と薬剤水溶液流出量を調整し、その条件を維持しながら得られた薬剤水溶液により冷却水１３の遊離残留塩素濃度が０．３ｍｇ／Ｌとなるように薬注制御を行った。
薬注管１６ｄから流出時の薬剤水溶液、および冷却水往配管１４ｃから冷却水を定期的に（１日１回）に採取して、遊離残留濃度を測定した。
【００３３】
そのときの薬剤水溶液の遊離残留塩素濃度の変動は、実施例１、実施例２の冷却塔設備１１においては５０±５ｍｇ／Ｌであったが、比較例１の冷却塔設備では５０±３０ｍｇ／Ｌと大きかった。
一方、冷却水１３の遊離残留塩素濃度の変動は、実施例１、実施例２の冷却塔設備１１では０．３±０．１ｍｇ／Ｌであったが、比較例１の冷却塔設備では０．４±０．３ｍｇ／Ｌと変動の幅が大きかった。
【００３４】
これらの結果より、実施例１、実施例２の冷却塔設備１１では比較例１の冷却塔設備に比べて、安定した遊離残留塩素濃度の薬剤溶液が得られ、そして、安定した冷却塔１２の水処理が可能となることが理解される。
【符号の説明】
【００３５】
Ａ      固形薬剤溶解供給装置
１      薬剤槽
２      固形薬剤
３      ポンプ
４      ユニオン
５ａ    溶解用水流量調節弁
５ｂ    薬剤水溶液流量調節弁
６      薬剤補充口  
７      溶解用水流入口
８      薬剤水溶液流出口
９      ユニオン接続配管
１０    逆止弁
１１    本発明の固形薬剤供給装置を組み込んだ冷却塔設備
１２    冷却塔
１２ａ  ファン
１２ｂ  散水パイプ
１２ｃ  充填材
１２ｄ  下部水槽
１２ｅ  オーバーフロー管
１３    冷却水
１４ａ  冷却水循環ポンプ
１４ｂ  熱交換器
１４ｃ  冷却水往配管
１４ｄ  冷却水還配管
１５    補給水供給ライン
１５ａ  補給水ライン
１５ｂ  ボールタップ
１５ｃ  強制補給水ライン
１５ｃ１  ブローライン
１５ｄ  強制補給弁
１５ｅ  薬剤溶解用補給水ライン
１５ｇ  手動バルブ
１６ｄ  薬注管
１９    ユニオンナット
２０    ユニオンねじ
２１    ユニオンつば
２２    Ｏリング
【図１】
2019107600.tif 000003
【図２】
2019107600.tif 000004
【図３】
2019107600.tif 000005
【図４】
2019107600.tif 000006
【図５】
2019107600.tif 000007
【図６】
2019107600.tif 000008
【図７】
2019107600.tif 000009